(57)【要約】【課題】必要に応じて直流電源装置の発振を制御することにより待機時の消費電力を低減することができる電池内蔵電源装置を提供することを目的とする。【解決手段】本発明の電源装置は直流電源装置と外出先などでの使用を目的とした非常用電源、すなわち電池ユニットおよびＤＣ／ＤＣ変換回路部を一つの装置に内設することにより、直流電源装置からの電源供給および充電制御回路によって内設された電池が充電完了となり、装置の出力に携帯端末が接続されていない場合は直流電源装置のスイッチング動作を制限し、このとき電池を電源とし電池からの微小な電流によって発振制御回路を駆動させることにより、直流電源装置のスイッチング動作を制御または停止することができるために装置の待機時消費電力を低減することができ、さらに安全性も向上できる。【選択図】図１
2009232633.tif 000002
【特許請求の範囲】
【請求項１】
商用電源を入力とし、ＡＣ入力をＤＣ出力に変換するＡＣ／ＤＣ変換回路と、前記直流電源装置からの出力を検出するアダプタ出力検出回路と、充放電が可能な二次電池および電気回路を備えた電池ユニットと、前記電池ユニットを充電するための充電制御回路と、前記電池ユニットを電源とする所定の直流電圧および直流電流に変換するＤＣ／ＤＣ変換回路と、前記直流電源装置に内設されたスイッチング動作回路部を制御する発振制御回路と、前記携帯端末の接続を検出する端末検出回路と、携帯端末機器等（以下携帯端末とする）に所定の直流電圧、直流電流を供給するための出力コネクタとからなり、ＡＣ入力を電源とし前記電池ユニットを充電する、あるいは前記直流電源装置の出力を直接前記出力コネクタから出力し前記携帯端末に所定の直流電圧、直流電流を供給する、あるいは前記電池ユニットを電源としＤＣ／ＤＣ変換回路から所定の直流電圧、直流電流を供給することを特徴とする電池内蔵電源装置。
【請求項２】
前記端末検出回路および前記充電制御回路から発振制御回路へ信号を送り、前記直流電源装置内のスイッチング動作回路を制御することを特徴とする請求項１記載の電池内蔵電源装置。
【請求項３】
ＡＣ入力が供給され、前記電池ユニットが充電完了となり、かつ出力に前記携帯端末が接続されていない場合には、前記直流電源装置内のスイッチング動作回路を制御することにより、装置の待機時消費電力を低減することを特徴とする請求項１及び請求項２記載の電池内蔵電源装置。
【発明の詳細な説明】
【技術分野】
【０００１】
本発明は電源装置に関し、詳しくは携帯端末へ電源を供給するあるいは内蔵された二次電池を充電する電池内蔵電源装置に関する。
【背景技術】
【０００２】
従来の電池内蔵電源装置を図２に示す。図２において、外部電池１と、第１の充電回路２と、内蔵二次電池３、充放電制御回路４、制御回路５、主電源回路６などで構成されている。
【０００３】
従来の技術は、商用電源が主電源回路６に入力され、内蔵二次電池３を充電するあるいは内蔵二次電池３を電源とし、外部機器または外部電池へ電力を供給するものであり、引用した本特開は電池内蔵電源装置であり、補助電源として機能する製品の１例である。
【特許文献１】特開２００８−４８４７３号公報
【発明の開示】
【発明が解決しようとする課題】
【０００４】
しかしながら、前記従来の電池内蔵電源装置は主電源回路から充放電制御回路を介して内設された二次電池を充電し、さらに外出先などで非常用電源としての使用を目的としている。そして直流電源装置からの電源供給および充電制御回路によって内設された二次電池が充電完了となり、装置の出力に携帯端末が接続されていない場合は直流電源装置のスイッチング動作は必ずしも必要でなくなり、スイッチング動作を継続させた場合、待機動作のための電力を消費し、装置に何らかの異常が発生した場合は、安全性が低下する可能性があるという課題を有していた。
【課題を解決するための手段】
【０００５】
本発明は、ＡＣ入力をＤＣ出力に変換するＡＣ／ＤＣ変換回路と、前記ＡＣ／ＤＣ変換回路からの出力を検出するアダプタ出力検出回路と、充放電が可能な二次電池と電気回路を備えた電池ユニットと、前記電池ユニットを充電するための充電制御回路と、前記電池ユニットを電源とし所定の直流電圧、直流電流に変換するＤＣ／ＤＣ変換回路と、前記ＡＣ／ＤＣ変換回路に内設されたスイッチング動作回路部を制御する発振制御回路と、前期携帯端末の接続を検出する端末検出回路と、携帯端末に所定の直流電圧、直流電流を供給するための出力コネクタとで構成され、商用電源を入力とし、前記ＡＣ／ＤＣ変換回路の出力を電源とし前期電池ユニットを充電する、あるいは前記ＡＣ／ＤＣ変換回路の出力を直接出力し携帯端末に所定の直流電圧および直流電流を供給する、あるいは前記電池ユニットを電源としＤＣ／ＤＣ変換回路から所定の直流電圧および直流電流を供給するものである。
【０００６】
さらに、ＡＣ入力が供給され、前記電池ユニットが充電完了となり、かつ出力に前記携帯端末が接続されていない場合には、前記端末検出回路および前記充電制御回路から前記発振制御回路へ信号を送り、前期ＡＣ／ＤＣ変換回路内のスイッチング動作回路を制御する。
【発明の効果】
【０００７】
本発明の電池内蔵電源装置はＡＣ／ＤＣ変換回路を含む直流電源装置と外出先などでの使用を目的とした非常用電源、すなわち電池ユニットおよびＤＣ／ＤＣ変換回路部を一つの装置に内設することによりユーザーの利便性を向上することを目的としている。さらにＡＣ／ＤＣ変換回路からの電源供給および充電制御回路によって内設された電池が充電完了となり、装置の出力に携帯端末が接続されていない場合はＡＣ／ＤＣ変換回路のスイッチング動作は不要である。このとき電池を電源とし電池からの微小な電流によって発振制御回路を駆動させることにより、ＡＣ／ＤＣ変換回路のスイッチング動作を制御または停止することができるため、装置の待機時消費電力を低減することができ、さらに安全性も向上できる。
【発明を実施するための最良の形態】
【０００８】
以下本発明を実施するための最良の形態について、図面を参照しながら説明する。
【０００９】
（実施の形態１）
図１は、本発明の実施例である電池内蔵電源装置のブロック図を示している。図１に示すように、ＡＣ入力をＤＣ出力に変換するＡＣ／ＤＣ変換回路１００、前記ＡＣ／ＤＣ変換回路１００からの出力を検出するアダプタ出力検出回路１０１、ＡＣ／ＤＣ変換回路１００から出力された直流電圧および直流電流を直接出力する電源ライン１０２、充放電が可能な二次電池と電気回路を備えた電池ユニット１０３、電池ユニット１０３を充電するための充電制御回路１０４、電池ユニット１０３の出力を所定の直流電圧および直流電流に変換するＤＣ／ＤＣ変換回路１０５、出力コネクタ１０６、本電源装置から電源を供給される携帯端末１０７、携帯端末の接続を検出する端末検出回路１０８、ＡＣ／ＤＣ変換回路１００に内設されたスイッチング動作回路を制御する発振制御回路１０９とで構成している。
【００１０】
本装置は商用交流電源の入力があり、携帯端末１０７が接続されている場合には、ＡＣ／ＤＣ変換回路１００から出力された電源は出力コネクタ１０６を介して携帯端末に所定の直流電圧および直流電流を供給するものである。また、ＡＣ／ＤＣ変換回路１００から出力された電源は充電制御回路１０４を介して電池ユニット１０３を充電できる構成としている。一方、商用交流電源の入力がない場合には、電池ユニット１０３からの出力をＤＣ／ＤＣ変換回路１０５及び出力コネクタ１０６を介し携帯端末に供給するものである。
【００１１】
また、ＡＣ／ＤＣ変換回路１００の出力を検出するアダプタ検出回路１０１を備えており、装置に商用交流電源が入力されている場合は、ＤＣ／ＤＣ変換回路１０５を停止または制限している。
【００１２】
また、本装置の出力に携帯端末１０７が接続されたことを検出する端末検出回路１０８を備えており、ＤＣ／ＤＣ変換回路１０５および発振制御回路１０９へ信号を送信している。
【００１３】
また、充電制御回路１０４は電池ユニット１０３の充電制御を行うと共に電池ユニット１０３の充電状態を発振制御回路１０９へ信号を送信している。
【００１４】
さらに、本装置に商用交流電源の入力され、本装置に内設された電池ユニット１０３の充電が完了となり、かつ出力に携帯端末１０７が接続されていない場合には、発振制御回路１０９によりＡＣ／ＤＣ変換回路１００のスイッチング動作を停止または制限している。これは、電池ユニット１０３を電源とし微小な電流を発振制御回路１０９へ供給することにより本動作を実現している。
【産業上の利用可能性】
【００１５】
本発明にかかる電池内蔵電源装置では、ＡＣ／ＤＣ変換回路を含む直流電源装置と外出先などでの使用を目的とした非常用電源、すなわち電池ユニットおよびＤＣ／ＤＣ変換回路部を一つの装置に内設することによりユーザーの利便性を向上することができ、さらに必要に応じて直流電源装置の発振を制御することにより装置の待機時の消費電力を低減することができると供に装置の安全性を向上させることができるので電池内蔵電源装置として有用である。
【図面の簡単な説明】
【００１６】
【図１】本発明の実施例である電池内蔵電源装置のブロック図
【図２】従来例である電池内蔵電源装置のブロック図
【符号の説明】
【００１７】
１      外部電池
２      第１の充電回路
３      内蔵二次電池
４      充放電制御回路
５      制御回路
６      主電源回路
７      ＤＣ／ＤＣコンバータ
８      サブＤＣ／ＤＣコンバータ
９      サブ充電回路
１０    商標電源
１１    充電スイッチ
１００  ＡＣ／ＤＣ変換回路
１０１  アダプタ出力検出回路
１０２  電源ライン
１０３  電池ユニット
１０４  充電制御回路
１０５  ＤＣ／ＤＣ変換回路
１０６  出力コネクタ
１０７  携帯端末
１０８  端末検出回路
１０９  発振制御回路
【図１】
2009232633.tif 000003
【図２】
2009232633.tif 000004